(57)【要約】【課題】  素早く撮影可能状態に移行することができる携帯情報端末を提供する【解決手段】  ストラップ１８の一端が固定されるストラップ固定部１７を備えたデジタルカメラにおいて、ストラップ１８の張力によって変位するストラップ固定部１７の変位動作に応じて撮影可能状態となることを特徴とする。【選択図】  図１
2006148820.tif 000002
【特許請求の範囲】
【請求項１】
ストラップの一端が固定されるストラップ固定部を備えた携帯情報端末において、
前記ストラップの張力によって変位する前記ストラップ固定部の変位動作に応じて使用可能状態となることを特徴とする携帯情報端末。
【請求項２】
前記ストラップ固定部は、本体の一端に設けられ、
前記本体の他端には、撮影レンズが設けられていることを特徴とする請求項１に記載の携帯情報端末。
【請求項３】
前記本体は、画像表示部と、該画像表示部からの光を反射するとともに使用者の視線方向の実視野からの光を透過する半透過型光学素子とを備え、
前記画像表示部および前記半透過型光学素子は、前記撮影可能状態とされた場合に、使用者からみて前記半透過型光学素子よりも遠方に前記画像表示部の表示する画像情報の虚像を表示する撮影可能位置に配置され、
前記画像表示部および／または前記半透過型光学素子は、前記ストラップ固定部の前記変位動作に連動して、前記本体に収納される収納位置から、前記撮影可能位置に移動することを特徴とする請求項１又は２に記載の携帯情報端末。
【発明の詳細な説明】
【技術分野】
【０００１】
この発明は、素早く使用可能状態に移行することができる携帯情報端末に関するものである。
【背景技術】
【０００２】
一般に、携帯電話、デジタルカメラ、デジタルビデオカメラ等の携帯情報端末には、携帯時に手で持ったり首に掛けたりするストラップが取り付けられている。
特許文献１には、持ち運びの際の誤動作を防止するために、ストラップで吊り下げているときのカメラの自重を検出して、レリーズボタン等の操作ボタンの動作を禁止するカメラが開示されている。
【０００３】
【特許文献１】実用新案登録第２６０２３５８号
【発明の開示】
【発明が解決しようとする課題】
【０００４】
このような携帯情報端末、例えばデジタルカメラについては、急にシャッターチャンスが訪れると、素早く撮影可能状態に移る必要がある。しかし、特許文献１のように操作ボタンの動作を禁止されている状態では、先ずこの状態を解除する操作が必要となり、素早く撮影可能状態に移ることができない。
さらに、常に携帯され、不意の使用が予想されるデジタルカメラや携帯電話等の携帯情報端末では、複雑な動作を行うことなく、一連の単純な動作で使用可能状態となることが望まれる。
【０００５】
本発明は、上述した事情に鑑みてなされたものであって、素早く、かつ、一連の単純な動作で使用可能状態に移行することができる携帯情報端末を提供することを目的とする。
【課題を解決するための手段】
【０００６】
上記目的を達成するために、本発明は、以下の手段を提供する。
本発明の携帯情報端末は、ストラップの一端が固定されるストラップ固定部を備えた携帯情報端末において、前記ストラップの張力によって変位する前記ストラップ固定部の変位動作に応じて使用可能状態となることを特徴とする。
【０００７】
例えばストラップを引っ張ることによって張力を与えてストラップ固定部を変位させるだけで使用可能状態とすることができるので、通話や撮影といった次の動作に即座に移ることができる。つまり、ストラップに張力を与えるだけで良く、電源ボタン等の使用可能状態に移行するためのボタンを探す必要がなく、例えばデジタルカメラであればシャッターチャンスを逃すことがない。
ここで、「使用可能状態」とは、デジタルカメラ等の撮影装置であればレリーズボタンを押せば撮影できる直前の状態（撮影可能状態）をいい、例えば電源をオン状態し、表示モード等の他のモードから撮影モードに切り換えた状態をいう。また、携帯電話であれば、通話ボタンを押せば即座にダイヤルができる直前の状態（通話可能状態）をいう。また、ＰＤＡ（Personal Digital Assistant）等の撮影装置を備えていないビューワ装置であれば、ディスプレイに情報が表示された表示状態をいう。
【０００８】
また、本発明の携帯情報端末は、前記ストラップ固定部が本体の一端に設けられ、前記本体の他端には、撮影レンズが設けられていることを特徴とする。
【０００９】
ストラップ固定部が本体の一端に設けられ、撮影レンズが本体の他端に設けられているので、ストラップを首から吊り下げると、撮影レンズは下方を向いた状態となる。この状態で、被写体を発見し撮影を行おうとした場合、使用者は本体を把持した後に引っ張り、ストラップに張力を与えてストラップ固定部を変位させ、これより、撮影装置を撮影可能状態（使用可能状態）とする。使用者は本体を把持したまま下方に向いた撮影レンズを持ち上げて、目標となる被写体の方向へ撮影レンズを向ける。このように、一連の動作で素早く撮影可能状態とし、かつ被写体の方向へ撮影レンズを向けることができるので、シャッターチャンスを逃すことがない。
【００１０】
また、本発明の携帯情報端末によれば、前記本体は、画像表示部と、該画像表示部からの光を反射するとともに使用者の視線方向の実視野からの光を透過する半透過型光学素子とを備え、前記画像表示部および前記半透過型光学素子は、前記撮影可能状態とされた場合に、使用者からみて前記半透過型光学素子よりも遠方に前記画像表示部の表示する画像情報の虚像を表示する撮影可能位置に配置され、前記画像表示部および／または前記半透過型光学素子は、前記ストラップ固定部の前記変位動作に連動して、前記本体に収納される収納位置から、前記撮影可能位置に移動することを特徴とする。
【００１１】
ストラップ固定部の変位動作に連動して、画像表示部および／または半透過型光学素子が収納位置から撮影可能位置に移動するので、素早く撮影可能状態に移ることができる。
【発明の効果】
【００１２】
本発明によれば、ストラップに張力を与えるだけで素早く使用可能状態とすることができるので、シャッターチャンスを逃すことがない。
【発明を実施するための最良の形態】
【００１３】
本発明にかかる携帯情報端末の一実施形態について、図面を参照して説明する。
図１には、本実施形態のデジタルカメラ（携帯情報端末）１０の使用形態が示されている。なお、デジタルカメラ１０は、静止画および動画が撮影できるものであり、しかも、画像情報を使用者の実視界上に重畳させることができる機能（後述する）を有するものである。
【００１４】
デジタルカメラ１０にはストラップ１８が取り付けられており、使用者は、ストラップ１８を首に掛けた状態でデジタルカメラ１０を携帯している（図１（ａ））。シャッターチャンスが訪れると、使用者は、デジタルカメラ１０を把持し、ストラップ１８に張力を与えるようにデジタルカメラ１０を首から遠ざかる方向に引っ張る（図１（ｂ）の矢印参照）。この動作に連動して、デジタルカメラ１０の画像表示部２０及びコンバイナ３０が外方に向けて開き、また同時に電源が入り、撮影可能状態となる（図１（ｂ））。そして、使用者は、デジタルカメラ１０をこめかみに当てて被写体を捉え、レリーズボタンを押すことにより撮影を行う。このような一連の動作で撮影を行うことができるようになっている。
撮影終了後は、画像表示部２０及びコンバイナ３０を手またはモータでデジタルカメラ１０の本体側まで回動させ、収納位置に戻す。
【００１５】
以下に、デジタルカメラの構成を述べた後に、ストラップを引っ張ることにより画像表示部２０及びコンバイナ３０が開く機構について説明する。
【００１６】
以下、本発明に係るデジタルカメラの一実施形態を図面に基づいて説明する。
図２及び図３は、本発明に係るデジタルカメラの構成例を示す外観斜視図であり、図１は非撮影時の格納状態、図２は撮影時の状態を示している。
デジタルカメラ１０は、各種レンズ等を組み合わせた撮影光学系を介して撮像する画像（静止画または動画）をＣＣＤやＭＯＳ等の半導体素子を介してデジタルデータの画像情報に変換し、この画像情報をフラッシュメモリ等の記憶媒体に記憶して保存するように構成されている。デジタルカメラ１０の本体１１には、撮影時に本体１１から取り出して使用する開閉式の画像表示部２０及び半透過型光学素子であるコンバイナ３０が設けられている。
【００１７】
本体１１は、撮影光学系を有する半導体素子、電池（電源）、各種制御機構及び制御基板等を内蔵した筐体１２の外部に、撮影光学系を構成する撮影レンズ１３の他、シャッタースイッチ１４、ズーム操作部１５ａ，１５ｂ及び電源スイッチ１６等、各種の操作スイッチ類を備えている。このような本体１１に対し、撮影時には略Ｚ字状に開いて使用する画像表示部２０及びコンバイナ３０が回動自在に取り付けられている。
なお、図示の画像表示部２０及びコンバイナ３０は、格納状態で本体１１を貫通する開口部１１ａの空間部に収納され、それぞれが矩形状とした短辺側の一辺を本体１１に軸支されて回動による開閉動作が可能とされる。
【００１８】
画像表示部２０は、撮影レンズ１３を介して撮像手段により撮像された画像を表示面に表示し、たとえば液晶表示パネル（ＬＣＤ）や有機ＥＬ表示パネル等のいわゆる薄型ディスプレイが用いられる。この画像表示部２０の表示面は、後述するコンバイナ３０と格納状態で対向する面に、すなわち筐体１２の内側に向けられている。
【００１９】
コンバイナ３０は、画像表示部２０に表示される画像の光を反射するとともに、撮影者の視線方向の実視野からの光を透過する半透過型光学素子である。換言すれば、コンバイナ３０は、少なくとも１面に自由曲面（３次元非球面）を有し、実視野となる外界像（実像）を透過するとともに、画像表示部２０に表示された画像を光学的に虚像として投影し、外界像の実像に画像の虚像を重畳的に表示する半透過型光学素子である。
【００２０】
撮影レンズ１３が設けられた端部とは反対側の端部には、ストラップ固定部１７が設けられている。このように撮影レンズ１３とストラップ固定部１７とがそれぞれ反対の端部に設けられているので、図１（ａ）に示すように、首からストラップ１８を吊り下げると、撮影レンズ１３が下を向くことになる。
ストラップ固定部１７の端面外側の中央には、ストラップ１８の一端を巻回して取り付けるための棒状の取付部１９が設けられている。
図３には、ストラップ１８に張力を与えてストラップ固定部１７を変位させて本体１１から離間させた状態が示されている。
【００２１】
次に、図４〜７を用いて、画像表示部２０及びコンバイナ３０が開く構造について説明する。
画像表示部２０及びコンバイナ３０は、それぞれの回動軸（図示せず）を中心として回動するようになっており（図３参照）、回動軸近傍に設けた押圧手段（図示せず）によって本体外側に開く方向に付勢されている。画像表示部２０及びコンバイナ３０は、後述する係止・解除機構Ａによって、通常時は本体外形に一致する収納位置に保持され（図２参照）、撮影時には解除されて開くようになっている（図３参照）。
【００２２】
係止・解除機構Ａの詳細について説明する。なお、図４及び５では、本体１１の片側に設けられた係止・解除機構Ａについてのみ示しているが、係止・解除機構Ａは本体１１の両側の対称位置にそれぞれ設けられている。
【００２３】
図４及び５に示されているように、筐体１２内には、その長手方向に延在する駆動軸４０が設けられている。駆動軸４０の一端（図において右方）４０ａはストラップ固定部１７に固定されており、他端（図において左方）４０ｂは操作片４２の一端４２ａに固定されている。
駆動軸４０の中途位置には、筐体１２側に固定されたガイド４４が設けられており、このガイド４４に形成された穴を貫通するように駆動軸４０が配置されている。このガイド４４と操作片４２の一端４２ａとの間には、圧縮バネ４６が配置されており、この圧縮バネ４６によって、駆動軸４０に接続されたストラップ固定部１７は本体１１側（図において左方）に常に付勢されている。なお、圧縮バネ４６としてはコイルバネが用いられており、このコイルバネの内側を挿通するように駆動軸４０が配置されている。
【００２４】
操作片４２は、撮影レンズ１３側の他端（図において左方）近傍まで延在している。操作片４２の両端近傍には、係止片用孔部４８がそれぞれ形成されている。各係止片用孔部４８には、画像表示部２０及びコンバイナ３０を係止するための係止片５０が配置される。係止片５０のうち、ストラップ固定部１７側に位置する係止片５０は、コンバイナ３０を係止するためのものであり、撮影レンズ１３側に位置する係止片５０は、画像表示部２０を係止するためのものである。
【００２５】
係止片５０は、図６（ａ）に示されているように、平板状の基部５０ａを備えており、その上面から上方に向けて基部５０ａの側縁部から壁部５０ｂが立設されている。この壁部５０ｂの上端には、画像表示部２０又はコンバイナ３０に形成された係止穴（図３の２０ａ及び３０ａ参照）に係合する爪部５０ｃが設けられている。爪部５０ｃと基部５０ａとの間には斜面５０ｄが形成されており、この斜面５０ｄに対して、係止片用孔部４８周りの縁部４８ａが当接する（図７参照）。係止片５０の下面には、図６（ｂ）に示されているように、この下面に対して垂直に立設するように二本のピン５２が設けられている。これらのピン５２は、図７に示されているように、筐体１２に形成された孔１２ａに挿入される。
【００２６】
図７は、係止片５０が操作片４２と筐体１２との間に配置された状態であって、（ａ）には画像表示部２０又はコンバイナ３０を係止して収納位置に保持している状態、（ｂ）には係止を解除した状態が示されている。なお、図７（ａ）及び（ｂ）において、上段は縦断面図を示し、下段は上段に対して横方向の位置を一致させた状態で示されており、操作片４０側から見た平面図である。
同図に示されているように、係止片５０は、筐体１２に形成された孔１２ａに各ピン５２を挿入した状態で、係止片用孔部４８に爪部５０ｃが位置するように配置されている。係止片５０と筐体１２との間には、押圧バネ５４が介挿されており、この押圧バネ５４によって係止片５０は常に操作片４２側に付勢されている。
【００２７】
次に、図７を用いて、係止・解除機構Ａの動きについて説明する。
操作片４２が図７（ａ）の状態にある場合、すなわちストラップ固定部１７が本体１１から離間せずに撮影可能状態とされ、画像表示部２０及びコンバイナ３０が収納位置にある場合、係止片５０の爪部５０ｃ及び斜面５０ｄが操作片４２の係止片用孔部４８に対応した位置とされており、爪部５０ｃは操作片４２の上面から突出し、画像表示部２０及びコンバイナ３０の係止穴２０ａ，３０ａ（図３参照）に係合している。この状態から、図７（ｂ）の状態に移ると、すなわちストラップ１８に張力を与えてストラップ固定部１７を本体１１から離間するように変位させると、操作片４２が係止片５０に対して図において右方に移動する（図７（ｂ）の矢印参照）。すると、係止片５０の斜面５０ｄに当接していた操作片４２の係止片用孔部４８を形成する縁部４８ａが斜面５０ｄの登り方向に沿って移動する。この動作に伴い、係止片５０が操作片４２に対して押し下げられることとなり、係止片５０の爪部５０ｃが操作片４２の表面から退避する（図７（ｂ）の状態参照）。これにより、爪部５０ｃに係止されていた画像表示部２０及びコンバイナ３０の係止状態が解除され、画像表示部２０及びコンバイナ３０が本体１１外方へと回動し、開いた状態となる（図３参照）。この係止状態から解除状態になる動作に伴い、図示しない電源スイッチがＯＮ状態となり、デジタルカメラ１０の電源が投入される。これにより、デジタルカメラ１０は、撮影可能状態となる。
【００２８】
操作片４２は、図７（ｂ）に示した解除状態から図７（ａ）に示した係止状態へと、自動的に復帰するようになっている。すなわち、ガイド４４と操作片４２の一端（図において右方）４２ａとの間に設けられた圧縮バネ４６によってストラップ固定部１７が常に本体１１側に付勢されているので（図４参照）、ストラップ１８に加えられた張力が解除されれば、操作片４２は図７において左方に移動し、図７（ａ）に示した状態に戻る。
【００２９】
以上説明した本実施形態にかかるデジタルカメラ１０によれば、以下の効果を奏する。
ストラップ１８を引っ張ることによって張力を与えてストラップ固定部１７を変位させるだけで、画像表示部２０及びコンバイナ３０が開き、電源が投入されて撮影可能状態とすることができるので、即座に撮影可能状態に移ることができる。つまり、ストラップ１８に張力を与えるだけで良く、電源ボタン等の撮影可能状態に移行するためのボタンを探す必要がないので、シャッターチャンスを逃すことがない。
【００３０】
ストラップ固定部１７が本体１１の一端に設けられ、撮影レンズ１３が本体１１の他端に設けられているので、ストラップ１８を首から吊り下げると、撮影レンズ１３は下方を向いた状態となる。この状態で、被写体を発見し撮影を行おうとした場合、使用者は本体を把持した後に引っ張り、ストラップ１８に張力を与えてストラップ固定部１７を変位させ、これより、デジタルカメラ１０を撮影可能状態とする。使用者は本体１１を把持したまま下方に向いた撮影レンズ１３を持ち上げて、目標となる被写体の方向へ撮影レンズ１３を向ける。このように、一連の動作で素早く撮影可能状態とし、かつ被写体の方向へ撮影レンズ１３を向けることができるので、シャッターチャンスを逃すことがない。
【００３１】
本発明は、上述したコンバイナ３０付きのデジタルカメラ１０に限らず、図８に示すような、コンバイナ３０を備えず、また画像表示部２０さえも備えていないデジタルカメラ１７０についても適用することができる。
デジタルカメラ１７０は、ズーム時に撮影レンズを備えた鏡胴１８２が突出する機構を備えたものである（図８（ｂ）参照）。デジタルカメラ１７０のストラップ固定部１８１には、ストラップ１８０が固定されている。ストラップ固定部１８１には、図示しない電源投入機構および鏡胴駆動機構が接続されている。
上記構成のデジタルカメラ１７０によれば、使用者がストラップ１８０に張力を加えてストラップ固定部１８１を変位させると、電源が投入されるとともに、鏡胴１８２が突出して撮影可能状態となる。
このように、ストラップ１８０を引張り張力を与えるだけで撮影可能状態に移行することができるので、シャッターチャンスを逃すことがない。
【００３２】
また、本発明は、図９に示すように、携帯電話２７０にも適用することができる。
携帯電話２７０は、中央のヒンジ部で屈曲して重ね合わせられる折り畳み式とされており、そのヒンジ部には、ストラップ２８０を固定するストラップ固定部２８１が設けられている。ストラップ固定部２８１には、図示しない電源投入機構と、誤作動防止機能を解除する解除機構と、折り畳み状態から蓋を開いた状態に動作させる開動作機構とが設けられている。
上記構成の携帯電話２７０によれば、使用者がストラップ２８０に張力を加えてストラップ固定部２８１を変位させると、電源が投入されるとともに、誤作動防止機能が解除され、折り畳み状態（図９（ａ）参照）から開いた状態（図９（ｂ）参照）へと蓋が開く。そして、使用者は、通話ボタン２７２を押して、通話を開始する。
このように、ストラップ２８０を引張り張力を与えるだけで通話可能状態に移行することができるので、簡単な操作で素早く通話を開始することができる。
【図面の簡単な説明】
【００３３】
【図１】本発明にかかるデジタルカメラの使用例を示した図である。
【図２】本発明に係るデジタルカメラの１実施形態を示し、画像表示部及びコンバイナが収納された状態を示す外観斜視図である。
【図３】図２のデジタルカメラを示し、画像表示部及びコンバイナが開いた状態を示す外観斜視図である。
【図４】図２のデジタルカメラの係止・解除機構を示した分解斜視図である。
【図５】図２のデジタルカメラの係止・解除機構を示した分解斜視図である。
【図６】係止片を示し、（ａ）は上面を見た斜視図であり、（ｂ）は下面を見た斜視図である。
【図７】操作片および係止片の動作を示し、（ａ）は係止片の爪が突出した係止状態を示し、（ｂ）は係止片の爪が退避した解除状態を示す。
【図８】コンバイナを有しないデジタルカメラへの適用例を示した斜視図である。
【図９】携帯電話への適用例を示した斜視図である。
【符号の説明】
【００３４】
１０  デジタルカメラ（携帯情報端末）
１１  本体
１３  撮影レンズ
１７  ストラップ固定部
１８  ストラップ
２０  画像表示部
３０  コンバイナ（半透過型光学素子）
１７０  デジタルカメラ（携帯情報端末）
２７０  携帯電話（携帯情報端末）
【図１】
2006148820.tif 000003
【図２】
2006148820.tif 000004
【図３】
2006148820.tif 000005
【図４】
2006148820.tif 000006
【図５】
2006148820.tif 000007
【図６】
2006148820.tif 000008
【図７】
2006148820.tif 000009
【図８】
2006148820.tif 000010
【図９】
2006148820.tif 000011